(57)【要約】【課題】撮影した画像を保存する前に使用者が彩度強調処理の結果を確認して、彩度強調レベルを適切に変更あるいは適切な彩度強調レベルを選択可能な画像処理装置を提供する。【解決手段】使用者の操作により画質を設定可能な外部Ｉ／Ｆ部１２２と、設定された画質に従って入力画像の彩度を強調する彩度強調部１０７と、彩度強調された入力画像からプレビュー画像を生成するプレビュー生成部１１１と、プレビュー画像を表示する表示部１１２と、彩度強調された入力画像について不具合発生の有無を判定する判定部とを具備し、プレビュー生成部１１１は、判定部での判定結果に基づいて、入力画像の不具合発生箇所を当該不具合発生箇所以外の部分と識別可能な画像に加工する。【選択図】    図１
2005027161.tif 000002
【特許請求の範囲】
【請求項１】
使用者の操作により画質を設定可能な画質設定手段と、
前記画質設定手段を介して設定された画質に従って入力画像を処理する画像処理手段と、
前記画像処理手段により画像処理された入力画像からプレビュー画像を生成するプレビュー画像生成手段と、
前記プレビュー画像生成によって生成されたプレビュー画像を表示する画像表示手段と、
前記画像処理手段により画像処理された入力画像について不具合発生の有無を判定する判定手段と、
を具備し、
前記プレビュー画像生成手段は、前記判定手段での判定結果に基づいて、前記入力画像の不具合発生箇所を当該不具合発生箇所以外の部分と識別可能な画像に加工することを特徴とする画像処理装置。
【請求項２】
前記画質設定手段は、使用者が画質のレベルに関する複数の設定項目から一つを選択するものであることを特徴とする請求項１記載の画像処理装置。
【請求項３】
前記画質設定手段は、使用者が画質のレベルを連続的に調整するものであることを特徴とする請求項１記載の画像処理装置。
【請求項４】
複数の画質設定項目の各々について入力画像を順次処理する画像処理手段と、
前記画像処理手段により画像処理された各々の入力画像から複数のプレビュー画像を生成するプレビュー画像生成手段と、
前記プレビュー画像生成手段によって生成された複数のプレビュー画像を同時にあるいは順番に表示する画像表示手段と、
前記画像表示手段による複数のプレビュー画像の表示に基づいて使用者が複数の画質設定項目の１つを選択可能な画質設定手段と、
前記画像処理手段により画像処理された各入力画像について不具合発生の有無を判定する判定手段と、
を具備し、
前記プレビュー画像生成手段は、前記判定手段での判定結果に基づいて、前記入力画像の不具合発生箇所を当該不具合発生箇所以外の部分と識別可能な画像に加工することを特徴とする画像処理装置。
【請求項５】
前記画像処理手段による画像処理に先立って、前記入力画像から小画像を生成する小画像生成手段をさらに有し、前記画像処理手段は前記入力画像と前記小画像とを画像処理し、前記プレビュー生成手段は該画像処理された小画像からプレビュー画像を生成することを特徴とする請求項１から４のいずれか１つに記載の画像処理装置。
【請求項６】
前記画質の設定は、彩度強調レベルの設定を含み、前記画像処理手段は、入力画像の彩度を変更する彩度変更手段をさらに含む請求項１から５のいずれか１つに記載の画像処理装置。
【請求項７】
使用者の操作により画質を設定可能な画質設定工程と、
前記画質設定工程において設定された画質に従って入力画像を処理する画像処理工程と、
前記画像処理工程において画像処理された入力画像からプレビュー画像を生成するプレビュー画像生成工程と、
前記プレビュー画像生成工程において生成されたプレビュー画像を表示する画像表示工程と、
前記画像処理工程において画像処理された入力画像について不具合発生の有無を判定する判定工程と、
を具備し、
前記プレビュー画像生成工程は、前記判定工程での判定結果に基づいて、前記入力画像の不具合発生箇所を当該不具合発生箇所以外の部分と識別可能な画像に加工することを特徴とする画像処理方法。
【請求項８】
複数の画質設定項目の各々について入力画像を順次処理する画像処理工程と、
前記画像処理工程において画像処理された各々の入力画像から複数のプレビュー画像を生成するプレビュー画像生成工程と、
前記プレビュー画像工程において生成された複数のプレビュー画像を同時にあるいは順番に表示する画像表示工程と、
前記画像表示工程における複数のプレビュー画像の表示に基づいて使用者が複数の画質設定項目の１つを選択可能な画質設定工程と、
前記画像処理工程において画像処理された各入力画像について不具合発生の有無を判定する判定工程と、
を具備し、
前記プレビュー画像生成工程は、前記判定工程での判定結果に基づいて、前記入力画像の不具合発生箇所を当該不具合発生箇所以外の部分と識別可能な画像に加工することを特徴とする画像処理方法。
【発明の詳細な説明】
【０００１】
【発明の属する技術分野】
本発明は画像処理装置及び画像処理方法に関し、特に、使用者の操作による画質設定が可能な画像処理装置及び画像処理方法に関する。
【０００２】
【従来の技術】
電子カメラなどで撮影された画像については、その彩度を強調する画像処理がしばしばなされる。これは、一般に画像を見る場合、撮影被写体の色に忠実な画像は実際よりも地味に感じられ、特殊な用途を除いては鮮やかに強調されたものが好まれやすいからである。カメラ内部でこのような画像処理が自動的におこなわれ処理済み画像を出力することもあれば、画像をパソコンで読み込んで、画像加工ソフトにより処理を加えることもある。しかし全ての場合に同じ処理をすると不都合が出てくることがある。
【０００３】
例えば彩度強調の好みには個人差があるうえ、様々な条件によっても最適な彩度は変わってくる。特にもともと彩度が高く限界に近い場合、強調により色相がずれたり飽和してしまう現象（色つぶれ）が発生し、却って見栄えを劣化させることがある。そのため使用者が状況に応じて彩度強調レベルを変更できると都合がよい。これに対し従来からある様々な画像加工ソフトで撮影後の画像に補正を行ったり、また特開２００１−２５１５５１号公報や特開平１１−２９８８４８号公報のように、撮像装置に付属のモニタで画像を確認しながら彩度の設定を変更できるものもある。さらに、特開平５−２６０３５１号公報には、被写体の色相に関係なく飽和検出を的確に行って警告することが開示されている。
【０００４】
【特許文献１】
特開２００１−２５１５５１号公報
【０００５】
【特許文献２】
特開平１１−２９８８４８号公報
【０００６】
【特許文献３】
特開平５−２６０３５１号公報
【０００７】
【発明が解決しようとする課題】
第１の課題として以下の事項が挙げられる。画像加工ソフトでの処理は細かい調整が可能であるが、既に圧縮などの非可逆処理が施されていると画質が劣化する可能性があり、また既に色つぶれのような非可逆の不具合が発生していた場合には補正しきれない。
【０００８】
本発明はこのような課題に着目してなされたものであり、撮影した画像を保存する前に使用者が画像処理、例えば彩度強調処理の結果を確認して、彩度強調レベルを適切に変更あるいは適切な彩度強調レベルを選択可能な画像処理装置及び画像処理方法を提供することにある。
【０００９】
第２の課題として以下の事項が挙げられる。実際の撮影場面では、撮像装置のモニタの性能や観察条件により、彩度強調処理の結果を見ても適正かどうか判断しづらく、じっくり吟味する余裕も無いことがある。そのような場合でも色つぶれは避けることが望ましいが、従来例ではそのような課題に対して具体的な解決方法を提示していない。
【００１０】
本発明はこのような課題に着目してなされたものであり、撮影した画像を保存する前に使用者が画像処理、例えば彩度強調処理の結果を確認して、彩度強調レベルを適切に変更あるいは適切な彩度強調レベルを選択可能であり、特に色つぶれ発生の有無を使用者が即座に認識できる画像処理装置及び画像処理方法を提供することにある。
【００１１】
第３の課題として以下の事項が挙げられる。使用者が彩度強調処理の結果を見ながら、試行錯誤的に彩度強調レベル設定を変え、その都度元画像に対して彩度強調処理をして、確認用の表示を書き換えるのでは時間がかかってしまう。
【００１２】
本発明はこのような課題に着目してなされたものであり、撮影した画像を保存する前に使用者が画像処理、例えば彩度強調処理の結果を確認して、彩度強調レベルを適切に変更あるいは適切な彩度強調レベルを選択可能であり、使用者の設定操作に対し、短時間に確認用の処理結果画像が表示される画像処理装置及び画像処理方法を提供することにある。
【００１３】
【課題を解決するための手段】
上記の目的を達成するために、第１の発明は、画像処理装置であって、使用者の操作により画質を設定可能な画質設定手段と、前記画質設定手段を介して設定された画質に従って入力画像を処理する画像処理手段と、前記画像処理手段により画像処理された入力画像からプレビュー画像を生成するプレビュー画像生成手段と、前記プレビュー画像生成によって生成されたプレビュー画像を表示する画像表示手段と、前記画像処理手段により画像処理された入力画像について不具合発生の有無を判定する判定手段と、を具備し、前記プレビュー画像生成手段は、前記判定手段での判定結果に基づいて、前記入力画像の不具合発生箇所を当該不具合発生箇所以外の部分と識別可能な画像に加工する。
【００１４】
また、第２の発明は、第１の発明に係る画像処理装置において、前記画質設定手段は、使用者が画質のレベルに関する複数の設定項目から一つを選択する。
【００１５】
また、第３の発明は、第１の発明に係る画像処理装置において、前記画質設定手段は、使用者が画質のレベルを連続的に調整するものである。
【００１６】
また、第４の発明は、画像処理装置であって、複数の画質設定項目の各々について入力画像を順次処理する画像処理手段と、前記画像処理手段により画像処理された各々の入力画像から複数のプレビュー画像を生成するプレビュー画像生成手段と、前記プレビュー画像生成手段によって生成された複数のプレビュー画像を同時にあるいは順番に表示する画像表示手段と、前記画像表示手段による複数のプレビュー画像の表示に基づいて使用者が複数の画質設定項目の１つを選択可能な画質設定手段と、前記画像処理手段により画像処理された各入力画像について不具合発生の有無を判定する判定手段と、を具備し、前記プレビュー画像生成手段は、前記判定手段での判定結果に基づいて、前記入力画像の不具合発生箇所を当該不具合発生箇所以外の部分と識別可能な画像に加工する。
【００１７】
また、第５の発明は、第１から第４の発明のいずれか１つに記載の画像処理装置において、前記画像処理手段による画像処理に先立って、前記入力画像から小画像を生成する小画像生成手段をさらに有し、前記画像処理手段は前記入力画像と前記小画像とを画像処理し、前記プレビュー生成手段は該画像処理された小画像からプレビュー画像を生成する。
【００１８】
また、第６の発明は、第１から第５の発明のいずれか１つに記載の画像処理装置において、前記画質の設定は、彩度強調レベルの設定を含み、前記画像処理手段は、入力画像の彩度を変更する彩度変更手段をさらに含む。
【００１９】
また、第７の発明は、画像処理方法であって、使用者の操作により画質を設定可能な画質設定工程と、前記画質設定工程において設定された画質に従って入力画像を処理する画像処理工程と、前記画像処理工程において画像処理された入力画像からプレビュー画像を生成するプレビュー画像生成工程と、前記プレビュー画像生成工程において生成されたプレビュー画像を表示する画像表示工程と、前記画像処理工程において画像処理された入力画像について不具合発生の有無を判定する判定工程と、を具備し、前記プレビュー画像生成工程は、前記判定工程での判定結果に基づいて、前記入力画像の不具合発生箇所を当該不具合発生箇所以外の部分と識別可能な画像に加工する。
【００２０】
また、第８の発明は、画像処理方法であって、複数の画質設定項目の各々について入力画像を順次処理する画像処理工程と、前記画像処理工程において画像処理された各々の入力画像から複数のプレビュー画像を生成するプレビュー画像生成工程と、前記プレビュー画像工程において生成された複数のプレビュー画像を同時にあるいは順番に表示する画像表示工程と、前記画像表示工程における複数のプレビュー画像の表示に基づいて使用者が複数の画質設定項目の１つを選択可能な画質設定工程と、前記画像処理工程において画像処理された各入力画像について不具合発生の有無を判定する判定工程と、を具備し、前記プレビュー画像生成工程は、前記判定工程での判定結果に基づいて、前記入力画像の不具合発生箇所を当該不具合発生箇所以外の部分と識別可能な画像に加工する。
【００２１】
【発明の実施の形態】
（第１の実施形態）
［構成］
図１は、本発明の第１の実施形態に係る画像処理装置の構成を示す図である。図１において、撮像系１０１により被写体を撮影して取得された画像信号は、アナログ処理やＡ／Ｄ変換をおこなう初期信号処理部１０２、補間処理部１０３、ホワイトバランス（ＷＢ）処理部１０４、画像バッファ１０５、色空間変換部１０６、彩度強調部１０７、色空間逆変換部１０８、画像バッファ１０９を経由し、さらに圧縮などの後処理部１１０を経て図示せぬ記録系へ出力される。画像バッファ１０９はプレビュー生成部１１１にも接続され、プレビュー生成部１１１の内容が表示部１１２に出力される。
【００２２】
また、色空間変換部１０６、彩度強調部１０７、後処理部１１０、プレビュー生成部１１１、表示部１１２はマイクロコンピュータなどの制御部１２１にも双方向に接続される。
【００２３】
彩度強調部１０７の情報は、制御部１２１を介してプレビュー生成部１１１へも送られる。さらに、電源スイッチ、シャッターボタン、各種設定などを行うためのインターフェースを備えた外部Ｉ／Ｆ部１２２が制御部１２１に双方向に接続されている。
【００２４】
図２は、図１の彩度強調部１０７の構成例を示すもので、図１と同じものには同じ番号を付けてある。図２に示すように彩度強調部１０７は係数決定部２０１、係数適用部２０２、判定部２０３、限界値データ格納部２０４からなる。
【００２５】
［作用］
以下に、上記した構成の作用を説明する。撮像系１０１で撮影された画像信号は、初期信号処理部１０２でアナログ信号として読み出されて増幅された後、デジタル信号へ変換される。このデジタル信号は補間処理部１０３でＲ、Ｇ、Ｂの３つの画像信号に分離された後、公知の補間処理が施されホワイトバランス（以下ＷＢと記載）処理部１０４へ転送される。
【００２６】
ＷＢ処理部１０４では画像信号に対して公知のＷＢ処理が行なわれ、ＷＢ処理後の画像信号は画像バッファ１０５に転送される。画像バッファ１０５の画像信号は制御部分２１１の制御により読み出され、色空間変換部１０６に転送される。色空間変換部１０６ではＲＧＢの３画像信号を所定の色空間、例えばＹＣｂＣｒ空間の３画像信号Ｙ、Ｃｂ、Ｃｒに変換する。Ｙ、Ｃｂ、Ｃｒは次式で計算される。
【００２７】
Ｙ＝０．２９９Ｒ＋０．５８７Ｇ＋０．１１４Ｂ
Ｃｂ＝−０．１６９Ｒ−０．３３１Ｇ＋０．５００Ｂ            （１）
Ｃｒ＝０．５００Ｒ−０．４１９Ｇ−０．０８１Ｂ
これによりＲＧＢ信号は輝度成分Ｙと色成分Ｃｂ、Ｃｒとに分離される。
【００２８】
次の彩度強調部１０７では色成分Ｃｂ、Ｃｒに所定の係数を適用することで彩度強調をおこない、色空間逆変換部１０８で再びＹＣｂＣｒ空間からＲＧＢ空間の信号へ戻す。処理後の画像信号は画像バッファ１０９に記憶される。
【００２９】
プレビュー生成部１１１では画像バッファ１０９内の画像信号を読み出し、これに解像度変換や後述する色つぶれ箇所の表示など画像表示用の処理を行い、さらに表示用の所定フォーマットに変換した見本画像を生成し、表示部１１２に出力する。
【００３０】
ここで本実施形態では、外部Ｉ／Ｆ部１２２を介して使用者の操作を受け付けるようになっている。例えば使用者が彩度強調設定に関し変更操作をおこなった場合、その情報は制御部１２１から彩度強調部１０７へ転送され、前述の彩度強調の所定の係数が変更される。また、画像バッファ１０５から画像信号が読み出され色空間変換、彩度強調処理、色空間逆変換などの処理がなされ、画像バッファ１０９に記憶された後、プレビュー生成部１１１で画像表示用の処理がおこなわれ、表示が書き換えられる。使用者がＯＫの操作をおこなった場合、画像バッファ１０９内の画像信号は後処理部１１０へ転送され、後処理部１１０で公知の圧縮処理などが施された後、メモリーカードなどに記録保存される。
【００３１】
ここで図２に示すように、色空間変換部１０６からのＹＣｂＣｒ画像信号は係数決定部２０１及び係数適用部２０２に入力される。係数決定部２０１はＹ、Ｃｂ、Ｃｒの関数ｆ（Ｙ、Ｃｂ、Ｃｒ）を保持しており、ＹＣｂＣｒ画像信号に基づいてｋ＝ｆ（Ｙ、Ｃｂ、Ｃｒ）となる係数ｋを算出する。この際に制御部１２１から彩度強調設定に関する情報を取得し、これに応じて用いる関数を切替えるかあるいは係数ｋに補正係数をかけ、最終的な彩度強調係数ｋを決定する。
【００３２】
一方、係数適用部２０２は色空間変換部１０６から入力されたＣｂＣｒ信号に対し、係数決定部２０１で決定された彩度強調係数ｋを乗算することで彩度強調処理をおこない、色空間逆変換部１０８へ出力する。なおここで用いる彩度とは、Ｃ＝（Ｃｂ２＋Ｃｒ２）１／２  で表される量Ｃを指し、彩度強調ではＣに係数ｋを適用（例えば乗算）する処理を行なう。これは実質的にＣｂ、Ｃｒにそれぞれ係数を乗算することと同じである。すなわち彩度強調後の信号Ｃｂ’、Ｃｒ’は
Ｃｂ’＝ｋ×Ｃｂ
Ｃｒ’＝ｋ×Ｃｒ            （２）
となる。
【００３３】
しかし色空間逆変換部１０８で正しいＲＧＢに変換されるＣｂ’、Ｃｒ’の範囲は制限されており、それを越えると色相がずれたり、飽和したりしてしまう。画像としてはその部分が異常な色になったり、階調変化が無くなってつぶれて見えることになる。そのため限界値データ格納部２０４には正しくＲＧＢに変換されるＹＣｂＣｒの範囲に関する情報が格納されており、判定部２０３は彩度強調処理後、Ｙ、Ｃｂ、Ｃｒを限界値データ格納部２０４の限界値データと照らし合わせて、限界を越えていたら色つぶれ発生と判定する。この色つぶれ発生に関する情報は制御部１２１を介してプレビュー生成部１１１へ送られる。
【００３４】
プレビュー生成部１１１では、画像バッファ１０９内の画像信号を読み出し、これに解像度変換などの処理を行って表示用の見本画像を生成し、表示部１１２に出力する。ここで制御部１２１から色つぶれ発生情報を取得し、これに基づき、色つぶれ発生個所の画素を特定の色に変更する。特定の色としては画像の他の部分と区別しやすい目立つ色、たとえばＲＧＢの単色や白色にすれば良い。また特定の色を使用する代わりに、該当画素の明るさを時間により大きく変更させて点滅表示するようにしても良い。
【００３５】
図３（ａ）、（ｂ）、（ｃ）、（ｄ）の４つの図はプレビュー表示と彩度強調設定操作に関する説明図で、ＬＣＤパネルなどの画面と各種設定をおこなう操作ボタンを例として示している。画面下部には複数の画質設定項目として彩度強調レベルが複数表示される。
【００３６】
図３（ａ）、図３（ｂ）を参照して使用者があらかじめ用意された複数の彩度強調レベルから一つを選択する例を説明する。まず初期設定で設定された彩度強調レベルで処理が行われ、画像信号が表示画面５０１に表示される（図３（ａ））。図中ハッチング部分は色つぶれ発生箇所５００で、特定の目立つ色や点滅で表示されていることを示す。また、５０２−１〜５０２−４は彩度強調レベルを表示する部分であり、５０２−１が彩度強調レベルが一番低く、５０２−２、５０２−３と徐々に大きくなり、５０２−４が一番大きくなっている。初期設定では彩度強調レベルは５０２−３のレベルに設定されている。
【００３７】
ここで使用者が操作ボタン５０３を操作して彩度強調レベルの設定を一段弱いレベル（すなわち５０２−２のレベル）へ変更すると、新たな係数で彩度強調処理がなされ、画面表示が更新される（図３（ｂ））。また、図でハッチング部分（すなわち色つぶれ発生箇所５００）が減っているのは彩度強調を弱くしたことにより色つぶれ個所が減ったことを示している。使用者が操作ボタン５０３のＯＫを押して設定を確定すると、現在の設定で処理された画像が後処理を経て記録保存される。
【００３８】
図３（ｃ）、（ｄ）は彩度強調設定の変形例を説明するための図であり、使用者が連続的に彩度強調レベルを調整する例である。使用者が操作ボタン５０３の左右を押すと連続的に彩度強調レベルの設定が変わり、表示画面５０１が更新される。
【００３９】
上記のような構成により、使用者は画像処理装置に付属されている表示部１１２で画像を確認しながら彩度強調レベルを調整でき、さらに色つぶれ発生の有無を容易に認識できるため、適切な彩度強調を施した画像を保存できる。
【００４０】
なお本実施形態では彩度強調係数ｋは各画素のＹＣｂＣｒに依存する例を示したが、画素によらず一定の値を使うようにしても良い。また彩度強調を行う色空間としてＹＣｂＣｒを用いたが、当然Ｌ＊ａ＊ｂ＊のような均等色空間や、変換時の計算式を簡略化した他の色空間であって良い。
【００４１】
また本実施形態例では係数適用部２０２で彩度強調係数ｋを単純に乗算することで彩度強調を行っているが、係数適用の方法は乗算に限らず、加減算や高次関数の形で適用しても良い。
【００４２】
（第２の実施形態）
［構成］
図４は、本発明の第２の実施形態に係る画像処理装置の構成を示す図である。図１と同じものには同じ番号を振りここでの説明を省略する。本実施形態では画像バッファ１０５内の画像信号を元画像として読み出して小さく変換した小画像を生成する小画像生成部１３１と、この生成された小画像を一時的に記憶するための小画像バッファ１３２とをさらに有することを特徴とする。小画像生成部１３１は制御部１２１とも双方向に接続されている。色空間変換部１０６には、制御部１２１からの制御のもとに画像バッファ１０５の画像信号と、小画像バッファ１３２の画像信号とが切り替え入力される。彩度強調部１０７の構成は図２と同様である。
【００４３】
［作用］
第１の実施形態と同様に、撮像系１０１で撮影された画像信号は、初期信号処理部１０２、補間処理部１０３、ＷＢ処理部１０４を経て、画像バッファ１０５に転送される。ここで画像バッファ１０５の画像信号はまず小画像生成部１３１に取り込まれてプレビュー表示に足りる程度に画素数を減らした小画像が生成される。例えば撮影される元画像の画素数は数百万画素でも、プレビュー表示には十数万画素で足りることもある。
【００４４】
小画像生成部１３１で生成された小画像は小画像バッファ１３２に転送される。制御部１２１の制御により小画像バッファ１３２の画像信号が読み出され、色空間変換部１０６でＹＣｂＣｒ信号に変換された後、彩度強調部１０７で彩度強調処理が施される。次に色空間逆変換部１０８でＲＧＢ信号に戻された後、プレビュー生成部１１１に転送される。プレビュー生成部１１１では第１の実施形態と同様に、画像に色つぶれ発生個所の特殊表示や現在の彩度レベル情報を重畳した見本画像を生成し、表示部１１２で表示する。表示の様子は図３と同様である。
【００４５】
ここで本実施形態では、外部Ｉ／Ｆ部１２２を介して使用者の操作を受け付けるようになっている。使用者の操作は、第１の実施形態と同様に、あらかじめ用意された複数の彩度強調設定から選択するものでも、連続的に調整するものでもよい。使用者が彩度強調設定に関し変更操作をおこなった場合、その情報は制御部１２１から彩度強調部１０７へ転送され、前述の彩度強調係数が変更される。
【００４６】
また小画像バッファ１３２から再び画像信号が読み出され、色空間変換、彩度強調処理、色空間逆変換などの処理がなされ、プレビュー生成部１１１で画像表示用の処理がおこなわれ、表示が書き換えられる。
【００４７】
使用者がＯＫの操作を行った場合、制御部１２１の制御により今度は画像バッファ１０５内の画像信号が読み出され、色空間変換部１０６を経て彩度強調処理され、色空間逆変換部１０８を経て後処理部１１０へ転送される。後処理部１１０で公知の圧縮処理などが施された後、メモリーカードなどに記録保存される。
【００４８】
本実施形態では上記のような構成により、使用者は撮像装置に付属の表示部で見本画像を確認しながら彩度強調レベルを調整でき、さらに色つぶれ発生の有無を容易に認識できるため、適切な彩度強調を施した画像を保存できる。その際、見本画像の処理には画素数を減らした小画像を用いるので、処理にかかる時間が短くて済み、また画像バッファも小さくてすむ。
【００４９】
（第３の実施形態）
［構成］
図５は、本発明の第３の実施形態に係る画像処理装置の構成を示す図である。本実施形態の構成は図２とほぼ同様だが、プレビュー生成部１１１と表示部１１２との間にプレビューバッファ１４１を有することを特徴とする。図５では図２と同じものには同じ番号を振りここでの説明を省略する。
【００５０】
［作用］
本実施形態は、使用者が彩度強調レベルを変更する方法として、あらかじめ用意されている複数の設定から選択する場合に適している。第２の実施形態と同様に、撮像系１０１で撮影された画像信号は、初期信号処理部１０２、補間処理部１０３、ＷＢ処理部１０４を経て、画像バッファ１０５に転送される。画像バッファ１０５の画像信号はまず小画像生成部１３２に読み出され、画素数を減らした小画像が生成される。
【００５１】
生成された小画像は小画像バッファ１３２に転送される。制御部１２１の制御により小画像バッファ１３２の画像信号が読み出され、色空間変換部１０６でＹＣｂＣｒ信号に変換された後、彩度強調部１０７で彩度強調処理され、色空間逆変換部１０８でＲＧＢ信号に戻された後、プレビュー生成部１１１に転送される。プレビュー生成部１１１では第１の実施形態と同様に、画像に色つぶれ発生個所の特殊表示や現在の彩度レベル情報を重畳した見本画像を生成し、プレビューバッファ１４１に転送する。
【００５２】
次に小画像バッファ１３２から画像を再度読み出し、異なる彩度強調レベルの設定で彩度強調処理を行う。次に、プレビュー生成部１１１で見本画像を生成し、これをプレビューバッファ１４１の先の見本画像とは異なる場所に記憶する。同様に、あらかじめ用意してある全ての彩度強調レベルの設定に関して見本画像を生成し、プレビューバッファ１４１に記憶しておく。表示部１１２では複数の見本画像のうち、一つを表示する。
【００５３】
ここで本実施形態では、外部Ｉ／Ｆ部１２２を介して使用者の操作を受け付けるようになっている。使用者が彩度強調設定に関し変更操作をおこなった場合、その情報は表示部１１２へ送られ、プレビューバッファ１４１から次の見本画像が読み出され画面表示が書き換えられる。使用者がＯＫの操作をおこなった場合、制御部１２１の制御により今度は画像バッファ１０５内の画像信号が読み出され、色空間変換部１０６を経て現在設定されている彩度強調レベルで彩度強調処理され、色空間逆変換部１０８を経て後処理部１１０へ転送される。後処理部１１０で公知の圧縮処理などが施された後、メモリーカードなどに記録保存される。
【００５４】
上記のような構成により、使用者は撮像装置に付属の表示部で見本画像を確認しながら彩度強調レベルを選択でき、さらに色つぶれ発生の有無を容易に認識できるため、適切な彩度強調を施した画像を保存できる。その際、あらかじめ用意されている設定のそれぞれに関して見本画像を生成しておき、使用者の操作に応じてこれを順次表示させるようにしたので、彩度強調レベルの設定を変更してから表示が切り替わるまでにかかる時間を少なくできる。
【００５５】
なお本実施形態では使用者の操作に応じて見本画像を順に表示していく例を説明したが、見本画像をまとめて表示して、使用者は操作ボタンにより表示された画像の一つを選択してＯＫを押す、という表示・操作形態にしても良い。その場合複数の見本画像を一覧できるので、設定による画像の違いがわかりやすいという利点がある。
【００５６】
（付記）
上記した具体的な実施形態から、以下のような構成の発明を抽出することができる。
【００５７】
１．  使用者の操作により画質を設定可能な画質設定手段と、
前記画質設定手段を介して設定された画質に従って入力画像を処理する画像処理手段と、
前記画像処理手段により画像処理された入力画像からプレビュー画像を生成するプレビュー画像生成手段と、
前記プレビュー画像生成によって生成されたプレビュー画像を表示する画像表示手段と、
前記画像処理手段により画像処理された入力画像について不具合発生の有無を判定する判定手段と、
を具備し、
前記プレビュー画像生成手段は、前記判定手段での判定結果に基づいて、前記入力画像の不具合発生箇所を当該不具合発生箇所以外の部分と識別可能な画像に加工することを特徴とする画像処理装置。
【００５８】
（対応する実施の形態）
この発明に関する実施の形態は、図１、２、３に示される第１の実施形態が対応する。構成中の画質設定手段は、この実施形態では図１、２に示される外部Ｉ／Ｆ部１２２が、画像処理手段は図１、２に示される彩度強調部１０７が、プレビュー生成手段は図１のプレビュー生成部１１１が、画像表示手段は図１の表示部１１２が該当する。また判定手段は図２に示される判定部２０３が該当する。構成中の不具合はこの実施形態例では彩度強調による色つぶれを例として説明している。
【００５９】
（作用）
画質設定手段を介して使用者が画質を設定すると、画像処理手段はその設定された画質に従って入力画像を処理し、プレビュー生成手段は処理された画像からプレビュー画像を生成し、画像表示手段にプレビュー画像が表示される。その際、判定手段は処理後の画像について不具合発生の有無を判定し、プレビュー生成手段は判定手段の情報に基づき入力画像の不具合発生箇所を当該不具合発生箇所以外の部分と識別可能な画像に加工する。
【００６０】
なお、再度画質設定手段を介して画質設定選択を変更すると、画像処理、プレビュー生成、プレビュー表示が再実行される。
【００６１】
（効果）
使用者は撮像装置に付属の表示画面で画像を確認しながら画質設定を調整でき、さらに不具合発生の有無を容易に認識できるため、適切な画像処理を施した画像を得ることができる。
【００６２】
２．  前記画質設定手段は、使用者が画質のレベルに関する複数の設定項目から一つを選択するものであることを特徴とする１記載の画像処理装置。
【００６３】
２．の構成では、画質が複数の設定項目から選択されるが、（対応する実施の形態）、（作用）、
（効果）は実質的に１．と同様である。
【００６４】
３．  前記画質設定手段は、使用者が画質のレベルを連続的に調整するものであることを特徴とする１記載の画像処理装置。
【００６５】
３．の構成では、画質のレベルが使用者によって連続的に調整されるが、（対応する実施の形態）、（作用）、
（効果）は実質的に１．と同様である。
【００６６】
４．  複数の画質設定項目の各々について入力画像を順次処理する画像処理手段と、
前記画像処理手段により画像処理された各々の入力画像から複数のプレビュー画像を生成するプレビュー画像生成手段と、
前記プレビュー画像生成手段によって生成された複数のプレビュー画像を同時にあるいは順番に表示する画像表示手段と、
前記画像表示手段による複数のプレビュー画像の表示に基づいて使用者が複数の画質設定項目の１つを選択可能な画質設定手段と、
前記画像処理手段により画像処理された各入力画像について不具合発生の有無を判定する判定手段と、
を具備し、
前記プレビュー画像生成手段は、前記判定手段での判定結果に基づいて、前記入力画像の不具合発生箇所を当該不具合発生箇所以外の部分と識別可能な画像に加工することを特徴とする画像処理装置。
【００６７】
（対応する実施の形態）
この発明に関する実施の形態は、図５および図２、３に示される第３の実施形態が対応する。構成中の画質設定手段は、この実施の形態では図２、５に示される外部Ｉ／Ｆ部１２２が、画像処理手段は図２、５に示される彩度強調部１０７が、プレビュー生成手段は図５のプレビュー生成部１１１が、画像表示手段は図５のプレビューバッファ１４１と表示部１１２が該当する。また判定手段は図２の判定部２０３が該当する。構成中の不具合はこの実施形態では彩度強調による色つぶれで説明している。
【００６８】
（作用）
あらかじめ具える複数の画質設定の各々に対し、画像処理手段は各画質設定に応じた画像処理を実行し、プレビュー生成手段は処理された画像からプレビュー画像を生成する。画像表示手段は生成された複数の画質設定の各々に対応した複数のプレビュー画像を同時にあるいは順番に表示する。その際、判定手段は処理後の画像について不具合発生の有無を判定し、プレビュー生成手段は判定手段の情報に基づき画像の不具合発生箇所を他と識別容易な表示にする。使用者は画像表示を見ながら画質設定手段を操作して、画質設定を選択する。
【００６９】
（効果）
使用者は撮像装置に付属の表示画面で画像を確認しながら画質設定を調整でき、さらに不具合発生の有無を容易に認識できるため、適切な画像処理を施した画像を得ることができる。その際、あらかじめ用意されている設定のそれぞれに関してプレビュー画像を生成しておき、これを一覧表示あるいは使用者の操作に応じて順次表示させるようにしたので、画質設定を変更してから表示が切り替わるまでにかかる時間を短くできる。
【００７０】
５．  前記画像処理手段による画像処理に先立って、前記入力画像から小画像を生成する小画像生成手段をさらに有し、前記画像処理手段は前記入力画像と前記小画像とを画像処理し、前記プレビュー生成手段は該画像処理された小画像からプレビュー画像を生成することを特徴とする請求項１から４のいずれか１つに記載の画像処理装置。
【００７１】
（対応する実施の形態）
この発明に関する実施の形態は、図４および図２、３に示される第２の実施形態、図５および図２、３に示される第３の実施の形態が対応する。構成中の入力画像は図４と図５に示される画像バッファ１０５に記憶される画像（原画像）が、小画像生成手段は図４、５に示される小画像生成部１３１が該当する。プレビュー生成手段は図４、５に示されるプレビュー生成部１１１が該当する。
【００７２】
（作用）
小画像生成手段により入力画像から小画像が生成され、プレビュー生成時には画像処理手段は小画像に画像処理を施し、プレビュー生成手段は画像処理された小画像から見本画像を生成する。
【００７３】
（効果）
使用者は撮像装置に付属の表示画面で画像を確認しながら画質設定を調整でき、さらに不具合発生の有無を容易に認識できるために、適切な画像処理を施した画像を得ることができる。その際、プレビュー画像の処理には小画像を用いるので、処理にかかる時間が短くてすむ。
【００７４】
６．  前記画質の設定は、彩度強調レベルの設定を含み、前記画像処理手段は、入力画像の彩度を変更する彩度変更手段をさらに含む請求項１から５のいずれか１つに記載の画像処理装置。
【００７５】
（対応する実施形態）
この発明に関する実施の形態は、図１、２、３に示される第１の実施形態、図４、２、３に示される第２の実施形態、図５、２、３に示される第３の実施の形態が対応する。構成中の画質設定手段は、この実施の形態では図１、２、４、５に示される外部Ｉ／Ｆ部１２２が、彩度変更手段は図１、２、４、５に示される彩度強調部１０７が該当する。
【００７６】
７．  使用者の操作により画質を設定可能な画質設定工程と、
前記画質設定工程において設定された画質に従って入力画像を処理する画像処理工程と、
前記画像処理工程において画像処理された入力画像からプレビュー画像を生成するプレビュー画像生成工程と、
前記プレビュー画像生成工程において生成されたプレビュー画像を表示する画像表示工程と、
前記画像処理工程において画像処理された入力画像について不具合発生の有無を判定する判定工程と、
を具備し、
前記プレビュー画像生成工程は、前記判定工程での判定結果に基づいて、前記入力画像の不具合発生箇所を当該不具合発生箇所以外の部分と識別可能な画像に加工することを特徴とする画像処理方法。
【００７７】
構成７．の（対応する実施の形態）、（作用）、
（効果）は、１．の（対応する実施の形態）、（作用）、
（効果）と同一である。
【００７８】
８．  複数の画質設定項目の各々について入力画像を順次処理する画像処理工程と、
前記画像処理工程において画像処理された各々の入力画像から複数のプレビュー画像を生成するプレビュー画像生成工程と、
前記プレビュー画像工程において生成された複数のプレビュー画像を同時にあるいは順番に表示する画像表示工程と、
前記画像表示工程における複数のプレビュー画像の表示に基づいて使用者が複数の画質設定項目の１つを選択可能な画質設定工程と、
前記画像処理工程において画像処理された各入力画像について不具合発生の有無を判定する判定工程と、
を具備し、
前記プレビュー画像生成工程は、前記判定工程での判定結果に基づいて、前記入力画像の不具合発生箇所を当該不具合発生箇所以外の部分と識別可能な画像に加工することを特徴とする画像処理方法。
【００７９】
構成８．の（対応する実施の形態）、（作用）、
（効果）は、４．の（対応する実施の形態）、（作用）、
（効果）と同一である。
【００８０】
【発明の効果】
本発明によれば、撮影した画像を保存する前に使用者が画像処理、例えば彩度強調処理の結果を確認して、彩度強調レベルを適切に変更あるいは適切な彩度強調レベルを選択することができる。
【００８１】
また、本発明によれば、撮影した画像を保存する前に使用者が画像処理、例えば彩度強調処理の結果を確認して、彩度強調レベルを適切に変更あるいは適切な彩度強調レベルを選択することができる。特に色つぶれ発生の有無を使用者が即座に認識可能である。
【００８２】
また、本発明によれば、撮影した画像を保存する前に使用者が画像処理、例えば彩度強調処理の結果を確認して、彩度強調レベルを適切に変更あるいは適切な彩度強調レベルを選択することができ、
【図面の簡単な説明】
【図１】本発明の第１の実施形態に係る画像処理装置の構成を示す図である。
【図２】図１の彩度強調部１０７の構成例を示す図である。
【図３】プレビュー表示と彩度強調設定操作に関する説明図である。
【図４】本発明の第２の実施形態に係る画像処理装置の構成を示す図である。
【図５】本発明の第３の実施形態に係る画像処理装置の構成を示す図である。
【符号の説明】
１０１…撮像系、１０２…初期信号処理部、１０３…補間処理部、１０４…ＷＢ処理部、１０５…画像バッファ、１０６…色空間変換部、１０７…彩度強調部、１０８…色空間逆変換部、１０９…画像バッファ、１１０…後処理部、１１１…プレビュー生成部、１１２…表示部、１２１…制御部、１２２…外部Ｉ／Ｆ部。
【図１】
2005027161.tif 000003
【図２】
2005027161.tif 000004
【図３】
2005027161.tif 000005
【図４】
2005027161.tif 000006
【図５】
2005027161.tif 000007